(57)【要約】【課題】ウェッブコーナー型紙容器において、保形性がよく、紙容器としての強度の低下を起こさない形態のウェッブコーナー型紙容器を提供することにある。【解決手段】本発明は、矩形状の底板の前後辺に対向する側板の両側辺にそれぞれ外折り込み片を連設し、左右辺に対向する側板の両側辺にそれぞれ内折り込み片を連設し、外折り込み片と内折り込み片とが折れ線を介して連結されたウェッブコーナー部を、外側に折り込んで内折り込み片側に折り曲げ、外側面に貼り合せて固定して組み立ててなるウェッブコーナー型紙容器であって、外折り込み片を内折り込み片より大きくし、内折り込み片の外面を側板に貼り合わせると同時に、外折り込み片の内折り込み片より大きい部分の内面を側板に貼り合わせたことを特徴とするウェッブコーナー型紙容器である。【選択図】図１
2004224356.tif 000002
【特許請求の範囲】
【請求項１】
矩形状の底板の前後辺には対向する側板を連設し、該側板の両側辺にはそれぞれ外折り込み片を連設し、前記底板の左右辺には対向する側板を連設し、該側板の両側辺にはそれぞれ内折り込み片を連設し、前記外折り込み片と前記内折り込み片とが前記底板の４隅から放射状に外方向に伸びる折れ線を介して連結されたウェッブコーナー部を、前記折れ線で外側に折り込み、前記内折り込み片側に折り曲げ、前記側板の外側面に貼り合せて固定して組み立ててなるウェッブコーナー型紙容器であって、前記外折り込み片を前記内折り込み片より大きくし、前記内折り込み片の外面を前記側板に貼り合わせると同時に、前記外折り込み片の前記内折り込み片より大きい部分の内面を前記側板に貼り合わせたことを特徴とするウェッブコーナー型紙容器。
【発明の詳細な説明】
【０００１】
【発明の属する技術分野】
本発明は、液漏れ防止機能のあるウェッブコーナー型紙容器に関するものであり、詳しくは、保形性のよいウェッブコーナー型紙容器に関するものである。
【０００２】
【従来の技術】
従来、揚げたてのフライドチキン等、たれ、肉汁、ソース類等を伴う調理食品、冷凍食品等の紙容器には、四隅からの油、調味料、肉汁等の液漏れを防止するように四隅を外側に折り込んだウェッブ（みずかき）コーナー型の紙容器が使用されている。この図５−ａに示すようなウェッブコーナー型紙容器Ｐでは、図５−ｂに示すようなブランク２０の四隅を外側に折り込んでウェッブコーナー部を形成し、それぞれのウェッブコーナー部を、紙容器の側板の外側面に貼り合わせて固定した形状としている（例えば、非特許文献１参照。）。
【０００３】
【非特許文献１】
玉井紀行著，「包装用紙器のすべて」，加工技術研究会，昭和６１年
１２月２０日，ｐ７１
【０００４】
【発明が解決しようとする課題】
しかしながら、従来のウェッブコーナー型紙容器Ｐでは、通常、四隅のウェッブコーナー部の一方の折り込み片の外面を紙容器の側板の外側面に貼り合わせているだけであり、ウェッブコーナー部の内面同士が貼り合わされていないため、図５−ｃに示すように、ウェッブコーナー部に隙間を生じ、開きやすく、液体などの内容部を入れた場合には、内容物がウェッブコーナー部の隙間に入ってしまうという問題がある。また、ウェッブコーナー部が貼り合わされた側板が、図５−ｃに示すように、内方に倒れ込み、紙容器が変形し、強度が低下してしまうという問題がある。
【０００５】
本発明は、ウェッブコーナー型紙容器において、保形性がよく、紙容器としての強度の低下を起こさない形態のウェッブコーナー型紙容器を提供することを目的とするものである。
【０００６】
【課題を解決するための手段】
前記課題を解決するためになされた本発明は、矩形状の底板の前後辺には対向する側板を連設し、該側板の両側辺にはそれぞれ外折り込み片を連設し、前記底板の左右辺には対向する側板を連設し、該側板の両側辺にはそれぞれ内折り込み片を連設し、前記外折り込み片と前記内折り込み片とが前記底板の４隅から放射状に外方向に伸びる折れ線を介して連結されたウェッブコーナー部を、前記折れ線で外側に折り込み、前記内折り込み片側に折り曲げ、前記側板の外側面に貼り合せて固定して組み立ててなるウェッブコーナー型紙容器であって、前記外折り込み片を前記内折り込み片より大きくし、前記内折り込み片の外面を前記側板に貼り合わせると同時に、前記外折り込み片の前記内折り込み片より大きい部分の内面を前記側板に貼り合わせたことを特徴とするウェッブコーナー型紙容器である。
【０００７】
本発明によれば、ウェッブコーナー型紙容器において、ウェッブコーナー部を形成する外折り込み片を内折り込み片より大きくし、内折り込み片の外面を側板に貼り合わせると同時に、外折り込み片の内折り込み片より大きい部分の内面を側板に貼り合わせることにより、保形性がよく、紙容器としての強度の低下を起こさない形態のウェッブコーナー型紙容器を得ることができるものである。
【０００８】
【発明の実施の形態】
以下、本発明のウェッブコーナー型紙容器の実施の形態について、図面に基づいて詳細に説明する。
【０００９】
図１は、本発明のウェッブコーナー型紙容器の一実施例を示す斜視図であり、図２は、本発明のウェッブコーナー型紙容器の一実施例のブランクを示す展開図であり、図３は、本発明のウェッブコーナー型紙容器の別の実施例を示す斜視図であり、図４は、本発明のウェッブコーナー型紙容器の実施の形態の一実施例の組み立て工程を説明する部分拡大図であり、そして、図５は、従来のウェッブコーナー型紙容器の一例を示す斜視図、ブランクの展開図、および上面図である。
【００１０】
図中のＡは本発明のウェッブコーナー型紙容器の一実施例、Ｂは本発明のウェッブコーナー型紙容器の別の実施例、Ｐは従来のウェッブコーナー型紙容器の一例、１０はブランク（本発明のウェッブコーナー型紙容器の）、２０はブランク（従来のウェッブコーナー型紙容器の）、１１は底板、１２は側板（上下）、１３は側板（左右）、１４は外折り込み片、１５は内折り込み片、１６は蓋板、ａ〜ｅは折れ線、そして、Ｗはウェッブコーナー部をそれぞれ示している。
【００１１】
図１は、本発明によるウェッブコーナー型紙容器の実施の形態の一実施例を示す斜視図である。本発明によるウェッブコーナー型紙容器Ａは、図１−ａに示すように、外見は、概ね通常のウェッブコーナー型紙容器と同様であり、矩形の底板１１の各辺から側板１２、１２、１３、１３が起立し、隣接した側板同士を四つのウェッブコーナー部Ｗで連結し、それぞれのウェッブコーナー部Ｗを外側に折り込んで一方側（本実施例では側板１３の側）に折り曲げ、側板１３、１３の外側面に貼り合せて固定している。
【００１２】
そして、本発明によるウェッブコーナー型紙容器Ａでは、ウェッブコーナー部Ｗにおいて、外折り込み片を内折り込み片より大きくし、そして、ウェッブコーナー部Ｗを側板１３に貼り合わせる方法が、ウェッブコーナー部Ｗを側板１３側に折り曲げて内折り込み片１５の外面を、側板１３の外側面に貼り合わせるだけでなく、折り曲げた外折り込み片１４の内折り込み片１５より大きい部分の内面（図１−ｂの斜線部分）を、図１−ｂに示すように、側板１３の外側面に貼り合わせている。
【００１３】
図２は、本発明のウェッブコーナー型紙容器のブランクを示す展開図である。
ブランク１０は、矩形の底板１１の前後の対向する辺に折れ線ａ、ａを介して側板１２、１２を設け、左右の対向する辺に折れ線ｂ、ｂを介して側板１３、１３を設けている。側板１２、１２の両側辺には折れ線ｃ、ｃ、ｃ、ｃを介してそれぞれ略三角形の外折り込み片１４、１４、１４、１４を連設し、側板１３、１３の両側辺には折れ線ｄ、ｄ、ｄ、ｄを介してそれぞれ略三角形の内折り込み片１５、１５、１５、１５を連設し、隣接する外折り込み片１４と内折り込み片１５を折れ線ｅで連接した部分をウェッブコーナー部Ｗとしている。
【００１４】
そして、本発明によるウェッブコーナー型紙容器Ａでは、このウェッブコーナー部Ｗの外折り込み片１４と内折り込み片１５の大きさが異なっており、外折り込み片１４の形状が、内折り込み片１５の形状より大きくなっている。このようにすることによって、ウェッブコーナー部Ｗを折り込んで側板１３側に折り曲げて貼り合わせる時に、内折り込み片１５の外面を側板１３の外側面に貼り合わせるだけでなく、外折り込み片１４の内折り込み片１５より大きい部分の内面も側板１３の外側面に貼り合わせることができる。
【００１５】
また、本実施例のウェッブコーナー型紙容器Ａは、側板１２、１３の形状が上辺が広い台形としたトレー形状の紙容器であるが、側板を長方形として直方体の紙容器としてもよい。
【００１６】
また、図３は、本発明のウェッブコーナー型紙容器の別の実施例を示す斜視図であり、ウェッブコーナー型紙容器Ｂは、一側板１２の上辺に蓋板１６を設け、その蓋板１６の上辺に差し込み片１７を連設した形状とすることもできる。
【００１７】
本発明によるウェッブコーナー型紙容器Ａの材料は主に板紙が使用され、その範囲は広く、コートボール、マニラボール、ミルクカートン原紙、カップ原紙、段ボール等を使用することができる。坪量は紙容器のサイズによって変わるが、１５０〜５００ｇ／ｍ２の範囲が好ましい。
【００１８】
また、内容物によっては、樹脂含侵による耐油紙、あるいは水性の内容物からの侵出物を遮断するプラスチックフィルムを内面に貼り合せることが効果的である。プラスチックフィルムとしては、ポリエチレンフィルム、ポリプロピレンフィルム、ポリエステルフィルム、ポリアミドフィルム等を使用することができ、また、生分解性プラスチックフィルム（ポリ乳酸、ポリヒドロキシブチレート、ポリラクトカプトン、ポリブチレンサクシレート、ポリエチレンサクシネート、ポリビニルアルコール、酢酸セルロース等）も使用することができる。
【００１９】
このプラスチックフィルムの貼り合わせは、環境対応の観点から、使用後に剥がして分離することができることが好ましく、そのためには、一つには、剥離可能な接着剤を使用して剥離可能に貼合する方法、もう一つには、熱シール、あるいは、公知のエマルジョン型、溶剤型、ホットメルト型の接着剤、粘着剤を使用して部分的に貼合する方法がある。
【００２０】
また、一般の紙容器と同様に、本発明のウェッブコーナー型Ａの表面には印刷が行われるが、オフセット、グラビア、フレキソ印刷等これまでに知られているいかなる方法を用いてもよい。さらにオーバーコート、艶出し、エンボス等の後加工も自由に行うことができる。ただし、各側板１２、１３のウェッブコーナー部Ｗを貼り合せる部分はオーバーコート層等を除くことが好ましい。
【００２１】
つぎに、本発明のウェッブコーナー型紙容器Ａを作製する工程を説明する。この工程は、一般的なウェッブコーナー型紙容器を成形する工程と略同様であり、まず、表面に印刷、表面加工等を施した紙、あるいは紙を主体とした積層体を打ち抜いて、図２に示すようなブランク１０を作製する。この打ち抜きの工程で、折れ線ａ〜ｅも同時に加工する。
【００２２】
ついで、図４−ａに示すように、底板１１から各側板１２、１２、１３、１３を上方に折り曲げて起こすと同時に、各ウェッブコーナー部Ｗを折れ線ｅで外側に折り込む。つぎに、図４−ｂに示すように、それぞれのウェッブコーナー部Ｗを側板１３の側に折り曲げて、ウェッブコーナー部Ｗの内折り込み片１５の外面を側板１３の外側面に貼り合せる。この時、ウェッブコーナー部Ｗの内折り込み片１５の外面を側板１３の外側面に貼り合わせると同時に、図１−ｂに示すように、外折り込み片１４の内折り込み片１５より大きい部分の内面（斜線部分）を側板１３の外面に貼り合わせる。このように各ウェッブコーナー部Ｗを側板１３、１３の外側に貼り合わせて固定して、図１−ａに示すようなウェッブコーナー型紙容器Ａを形成する。この貼り合わせは、例えば、エマルジョン型接着剤、ホットメルト型接着剤等の周知の接着剤を使用して行うことができる。
【００２３】
このようにして作製した本発明によるウェッブコーナー型紙容器Ａは、ウェッブコーナー部Ｗの内折り込み片１５の外面を側板１３の外側面に貼り合わせると同時に、外折り込み片１４の内折り込み片１５より大きい部分の内面を側板１３の外面に貼り合わせているので、ウェッブコーナー部Ｗに隙間が生じにくく、また、ウェッブコーナー部Ｗが貼り合わされた側板１３が内方に倒れ込むことを防ぐことができ、紙容器としての強度の低下を防ぐことができる。
【００２４】
【実施例】
つぎに、本発明のウェッブコーナー型紙容器について、以下に実施例をあげてさらに説明する。
【００２５】
基材となる板紙として、厚さ０．５ｍｍの再生ミルクカートン原紙（ミルパックス：パックス（株）製）を使用し、表面に所望の絵柄、表示等をフレキソ印刷にて印刷した後に、裏面にパターン状にグラビアコートによりエマルジョン型の接着剤をコートし、フィルム貼り機により３０のポリプロピレンフィルム（パイレンＰＡ：トーセロ化学（株）製）を貼合して積層体を作製した。この積層体を打ち抜き工程で図２の展開図に示すブランク１０に打ち抜いた。このブランク１０を成形貼り機により成形して図１に示す本発明のウェッブコーナー型紙容器Ａを作製した。
【００２６】
このウェッブコーナー型紙容器Ａに実際に内容物を入れて使用した時に、側板１３の外側に貼り合わされたウェッブコーナー部Ｗの隙間が狭く内容物が入り込むことがなかった。また、側板１３、１３が内方に倒れることがなく、保形性があり、強度の低下が見られなかった。
【００２７】
【発明の効果】
本発明によれば、ウェッブコーナー型紙容器において、ウェッブコーナー部を形成する外折り込み片を内折り込み片より大きくし、内折り込み片の外面を側板に貼り合わせると同時に、外折り込み片の内折り込み片より大きい部分の内面を側板に貼り合わせることにより、保形性がよく、紙容器としての強度の低下を起こさないという効果を有している。
【図面の簡単な説明】
【図１】本発明のウェッブコーナー型紙容器の一実施例を示す斜視図である。
【図２】本発明のウェッブコーナー型紙容器の一実施例のブランクを示す展開図である。
【図３】本発明のウェッブコーナー型紙容器の別の実施例を示す斜視図である。
【図４】本発明のウェッブコーナー型紙容器の実施の形態の一実施例の組み立て工程を説明する部分拡大図である。
【図５】従来のウェッブコーナー型紙容器の一例を示す斜視図、ブランクの展開図、および上面図である。
【符号の説明】
Ａ    本発明のウェッブコーナー型紙容器の一実施例
Ｂ    本発明のウェッブコーナー型紙容器の別の実施例
Ｐ    従来のウェッブコーナー型紙容器の一例
１０    ブランク（本発明のウェッブコーナー型紙容器の）
２０    ブランク（従来のウェッブコーナー型紙容器の）
１１    底板
１２    側板（上下）
１３    側板（左右）
１４    外折り込み片
１５    内折り込み片
１６    蓋板
ａ〜ｅ  折れ線
Ｗ    ウェッブコーナー部
【図１】
2004224356.tif 000003
【図２】
2004224356.tif 000004
【図３】
2004224356.tif 000005
【図４】
2004224356.tif 000006
【図５】
2004224356.tif 000007